(57)【要約】      （修正有）【課題】中空構造のクラブヘッド内のゴミや部材の一部をゴルフクラブヘッドの内壁面に固定させ、ゴルフクラブヘッドのスウィング時等に音鳴りの発生を防止出来るゴルフクラブヘッド及びその製造方法を提供する。【解決手段】ゴルフクラブヘッド１の内面１ａの一部を、１０〜６０μｍ厚さのコーティング材４によりコーティングしてある。コーティング材４は、ポリエステル樹脂，アルリル樹脂，ウレタン樹脂，エポキシ樹脂等を用いる。これらの樹脂は、有色，無色，半透明のいずれでも良い。樹脂材料にゴム質のものを使用して、ゴルフクラブヘッド１内の損傷を防止し、振動を減衰させる。また樹脂材料に錆止め材料を混合して、ゴルフクラブヘッド１内の錆を防止する。更に金属粉等混入させ、比重の大きい樹脂材料を使用して、ゴルフクラブヘッド１の重心位置等の調整や、慣性モーメントを向上させることも可能となる。【選択図】図１
2006223471.tif 000002
【特許請求の範囲】
【請求項１】
中空構造のゴルフクラブヘッドにおいて、
前記ゴルフクラブヘッドの内面の少なくとも一部をコーティング材によりコーティングしたことを特徴とするゴルフクラブヘッド。
【請求項２】
前記コーティング材を、ゴム質の樹脂材料を使用した請求項１に記載のゴルフクラブヘッド。
【請求項３】
前記コーティング材を、錆止め機能を備えた樹脂材料を使用した請求項１に記載のゴルフクラブヘッド。
【請求項４】
前記コーティング材を、比重の大きい樹脂材料を使用した請求項１に記載のゴルフクラブヘッド。
【請求項５】
前記中空構造のゴルフクラブヘッドが、樹脂，金属または樹脂と金属の複合ヘッドである請求項１，２，３または４に記載のゴルフクラブヘッド。
【請求項６】
前記中空構造のゴルフクラブヘッドが、ウッドゴルフクラブヘッドまたはアイアンゴルフクラブヘッドである請求項１，２，３，４または５に記載のゴルフクラブヘッド。
【請求項７】
中空構造のゴルフクラブヘッドの製造方法において、
ゴルフクラブヘッドの成形後、ゴルフクラブヘッドに形成された穴からゴルフクラブヘッド内にエアーガンのノズルを挿入し、ゴルフクラブヘッドまたはエアーガンを旋回または傾斜させてゴルフクラブヘッド内に所定の厚さのコーティング材を塗布することを特徴とするゴルフクラブヘッドの製造方法。
【請求項８】
前記コーティング材の塗布厚さは、ゴルフクラブヘッドの目的に応じて任意の厚さに設定する請求項７に記載のゴルフクラブヘッドの製造方法。
【発明の詳細な説明】
【技術分野】
【０００１】
この発明は、ゴルフクラブヘッド及びその製造方法にかかわり、更に詳しくは中空構造のゴルフクラブヘッドにおいて、ゴルフクラブヘッドの使用時等にゴルフクラブヘッド内の異物により音鳴りを発生させるのを有効に防止したゴルフクラブヘッド及びその製造方法に関するものである。
【背景技術】
【０００２】
現在、市販されている中空構造のゴルフクラブヘッドには、パターゴルフクラブヘッド、ウッドゴルフクラブヘッド、アイアンゴルフクラブヘッド等があり、またその素材構成としては、樹脂，金属または樹脂と金属の複合ヘッド等が知られている（例えば、特許文献１参照）。
【０００３】
このような中空構造のゴルフクラブヘッドの問題の一つとして、ゴルフクラブヘッドを揺らした際に、ゴルフクラブヘッド内に侵入している異物がゴルフクラブヘッドの内壁に衝突する際に音鳴りが発生する場合があり、この音鳴りは、使用者や競技者の集中力を阻害したり、不快感を与える原因となっている。
【０００４】
この音鳴り要因は、打撃時の衝撃により中空ゴルフクラブヘッド内の素材の一部が剥離し、そのようなゴミや部材の一部がゴルフクラブヘッドの揺動時にゴルフクラブヘッドの中空内部を動き回り、ゴルフクラブヘッドの内壁面に衝突して音鳴りが発生しているものと推測される。
【０００５】
このような音鳴りを防止させるために、ゴルフクラブヘッドのソールの裏面側等に粘着材を注入して、その粘着材にゴミや部材の一部を付着させることで音鳴りを防止させる方法も提案されているが、ゴミや部材の一部が比重の大きいもの、例えば金属片や溶接屑等であれば上記のような粘着材に十分付着して音鳴りを防止することが出来る。然しながら、近年増加している樹脂ヘッドや複合ヘッド等（例えば、炭素繊維強化プラスチック（ＣＦＲＰ）のヘッドや、このような炭素繊維強化プラスチックプレートや軽い比重の金属を接着させたヘッド）では、比重の小さい樹脂やカーボン繊維がヘッド内部に残り、粘着材には十分に接着せず、これらが集合して音鳴りを起こすと言う問題があった。
【特許文献１】特開平８−１１２３７９号公報
【発明の開示】
【発明が解決しようとする課題】
【０００６】
この発明は、かかる従来の問題点に着目して案出されたもので、中空構造のゴルフクラブヘッド内のゴミや部材の一部をゴルフクラブヘッドの製造工程中にゴルフクラブヘッド内面に固定させ、ゴルフクラブヘッドのスウィング時等に音鳴りが発生するのを有効に防止させることが出来るゴルフクラブヘッド及びその製造方法を提供することを目的とするものである。
【課題を解決するための手段】
【０００７】
この発明は上記目的を達成するため、この発明のゴルフクラブヘッドは、ゴルフクラブヘッドの内面の少なくとも一部をコーティング材によりコーティングしたことを要旨とするものである。
【０００８】
ここで、前記コーティング材を、ゴム質の樹脂材料を使用し、またコーティング材を、錆止め機能を備えた樹脂材料を使用したり、比重の大きい樹脂材料を使用することも可能である。
【０００９】
更に、中空構造のゴルフクラブヘッドが、樹脂，金属または樹脂と金属の複合ヘッドであり、また中空構造のゴルフクラブヘッドは、ウッドゴルフクラブヘッドまたはアイアンゴルフクラブヘッドであることを要旨とするものである。
【００１０】
また、この発明のゴルフクラブヘッドの製造方法は、ゴルフクラブヘッドの成形後、ゴルフクラブヘッドに形成された穴からゴルフクラブヘッド内にエアーガンのノズルを挿入し、ゴルフクラブヘッドまたはエアーガンを旋回または傾斜させてゴルフクラブヘッド内に所定の厚さのコーティング材を塗布することを要旨とするものである。
【００１１】
ここで、コーティング材の塗布厚さは、ゴルフクラブヘッドの目的に応じて任意の厚さに設定するものである。このように、ゴルフクラブヘッドの内面をコーティング材によりコーティングしたことにより、中空構造のゴルフクラブヘッド内のゴミや部材の一部をゴルフクラブヘッドの製造工程中にゴルフクラブヘッド内面に固定させることができ、ゴルフクラブヘッドのスウィング時等に音鳴りが発生するのを有効に防止させることが出来るものである。
【発明の効果】
【００１２】
この発明は、上記のようにゴルフクラブヘッドの成形後、ゴルフクラブヘッドに形成された穴からゴルフクラブヘッド内にエアーガンのノズルを挿入し、ゴルフクラブヘッドまたはエアーガンを旋回または傾斜させてゴルフクラブヘッド内に所定の厚さのコーティング材を塗布することにより、ゴルフクラブヘッドのスウィング時等に音鳴りが発生するのを防止でき、使用者や競技者の集中力を阻害したり、不快感を与えるのを防止出来る効果がある。
【００１３】
また、コーティング材を、ゴム質の樹脂材料を使用したり、錆止め機能を備えた樹脂材料を使用したり、更に比重の大きい樹脂材料を使用することで、ゴルフクラブヘッド内の損傷を防止したり、振動を減衰させたり、ゴルフクラブヘッド内の錆の発生を防止したり、更にはゴルフクラブヘッドの重心位置等の調整や、慣性モーメントを向上させることも可能となる。
【発明を実施するための最良の形態】
【００１４】
以下、添付図面に基づきこの発明の実施の形態を説明する。  
【００１５】
図１は、この発明を実施したウッドゴルフクラブヘッドの平面図、図２は図１のＡ−Ａ矢視断面図、図３は図１のＢ−Ｂ矢視断面図を示し、この第１実施形態は、ゴルフクラブヘッド１として、チタン等の硬質軽金属から成る本体部２と、クラウン部３にＣＦＲＰ（炭素繊維強化プラスチック）シートを貼り付けた複合ヘッドを示している。
【００１６】
なお、この実施形態に限定されず、金属材料単体のウッドゴルフクラブヘッドや、樹脂材料単体のウッドゴルフクラブヘッド、アイアンゴルフクラブヘッド、パターゴルフクラブヘッドに適用することも可能であり、特にウッドゴルフクラブヘッド及びアイアンゴルフクラブヘッドは、打撃による衝撃が比較的大きく、中空ゴルフクラブヘッド内の素材の一部が剥離する場合があるため、この発明の実施形態では有効である。
【００１７】
この発明の実施形態では、前記ゴルフクラブヘッド１の内面１ａの少なくとも一部を所定厚さ、例えば、１０〜６０μｍのコーティング材４によりコーティングしてある。なお、コーティング材４の塗布厚さは、前記範囲内にすることによって、より効果的な材料の量で、より有効なゴミの付着力を得る事が可能である。
【００１８】
このコーティング材４としては、樹脂材料、例えば、ポリエステル樹脂，アクリル樹脂，ウレタン樹脂，エポキシ樹脂等を用いることが出来、これらの樹脂は、有色，無色，半透明のいずれでも良い。
【００１９】
また、樹脂材料にゴム質のものを使用すれば、ゴルフクラブヘッド１内の損傷を防止したり、振動を減衰させることも可能であり、また樹脂材料に錆止め材料を混合させれば、ゴルフクラブヘッド１内の錆止め機能を発揮させることも可能である。更に金属粉等混入させ、比重の大きい樹脂材料を使用することで、ゴルフクラブヘッド１の重心位置等の調整や、慣性モーメントを向上させることも可能となる。
【００２０】
また、このような樹脂材料の塗布方法としては、ゴルフクラブヘッド１の製造過程において、ソール部５に形成されている穴６（例えば、ウエイト取付け用の穴）や、ホーゼル部７の貫通穴等から、図２及び図３に示すようなエアーガン８のノズル８ａを挿入し、ゴルフクラブヘッド１またはエアーガン８を旋回または傾斜させてゴルフクラブヘッド１内に所定の厚さのコーティング材４を塗布するものである。
【００２１】
なおコーティング材４の塗布厚さは、上述したようにゴルフクラブヘッドの目的に応じて任意の厚さに設定し、ゴルフクラブヘッド１の内面１ａの全面、または一部に塗布することも可能である。このように、ゴルフクラブヘッド１の製造過程において、ゴルフクラブヘッド１の内面１ａの少なくとも一部をコーティング材４によりコーティングしたことにより、中空構造のゴルフクラブヘッド１内のゴミや部材の一部をゴルフクラブヘッド１の内壁面に製造工程中に固定させることができ、ゴルフクラブヘッド１のスウィング時等に音鳴りが発生するのを有効に防止させることが出来るものである。
【図面の簡単な説明】
【００２２】
【図１】この発明を実施したウッドゴルフクラブヘッドの平面図である。
【図２】図１のＡ−Ａ矢視断面図である。
【図３】図１のＢ−Ｂ矢視断面図である。
【符号の説明】
【００２３】
１  ゴルフクラブヘッド            １ａ  内面
２  本体部                          ３  クラウン部
４  コーティング材                  ５  ソール部
６  穴                              ７  ホーゼル部
８  エアーガン                    ８ａ  ノズル
【図１】
2006223471.tif 000003
【図２】
2006223471.tif 000004
【図３】
2006223471.tif 000005